(57)【特許請求の範囲】
【請求項１】
基地局の機能を無線ベースバンド装置とアンテナ装置に分離し、複数の無線ベースバンド装置と複数のアンテナ装置の間の接続を任意に変更可能としたセルラー方式の移動通信システムにおいて、無線ベースバンド装置の各々に対応して設けられる無線制御装置であり、
自無線ベースバンド装置とアンテナ装置との接続関係を管理するアンテナ装置管理制御部と、
自無線ベースバンド装置に接続されているアンテナ装置と移動端末との接続関係を監視する移動端末接続状況監視部と、
他の無線制御装置との間で連携して移動端末の無線セッションの引継ぎを行う無線セッション管理部と、を備え、
自無線ベースバンド装置とアンテナ装置の接続関係を変更する場合に、前記無線セッション管理部が該接続関係を変更するアンテナ装置に接続している移動端末の無線セッションの引継ぎを行った後に、前記アンテナ装置管理制御部が該接続関係の変更を行う、
ことを特徴とする無線制御装置。
【請求項２】
前記アンテナ装置管理制御部は、自無線ベースバンド装置に接続されているアンテナ装置にそれぞれ対応するリファレンスシグナルを、それぞれ対応するアンテナ装置を介して送信し、移動端末から受信した各リファレンスシグナルの受信品質に基づいて、当該移動端末とアンテナ装置との接続関係を判定する、
ことを特徴とする請求項１に記載の無線制御装置。
【請求項３】
前記アンテナ装置管理制御部は、移動端末に対応するリファレンスシグナルを、自無線ベースバンド装置に接続されているアンテナ装置を介して受信し、アンテナ装置ごとにリファレンスシグナルの受信品質を測定し、この測定結果に基づいて当該移動端末とアンテナ装置との接続関係を判定する、
ことを特徴とする請求項１に記載の無線制御装置。
【請求項４】
基地局の機能を無線ベースバンド装置とアンテナ装置に分離し、複数の無線ベースバンド装置と複数のアンテナ装置の間の接続を任意に変更可能としたセルラー方式の移動通信システムにおいて、
無線制御装置を無線ベースバンド装置の各々に対応して設け、前記無線制御装置と接続する無線管理装置を備え、
前記無線制御装置は、
自無線ベースバンド装置とアンテナ装置との接続関係を管理するアンテナ装置管理制御部と、
自無線ベースバンド装置に接続されているアンテナ装置と移動端末との接続関係を監視する移動端末接続状況監視部と、
自無線ベースバンド装置に接続されているアンテナ装置と移動端末との接続関係が変わったときに、当該変更元または変更先の無線制御装置との間で無線セッションの引継ぎを行う無線セッション管理部と、を備え、
前記無線管理装置は、
前記無線制御装置と前記アンテナ装置の接続関係を管理する無線制御装置管理部と、
移動端末が接続している前記無線制御装置を管理する移動端末移動管理部と、を有し、
前記無線制御装置は、自無線ベースバンド装置に接続されているアンテナ装置と移動端末との接続関係が変わったときに、前記無線管理装置に対して当該アンテナ装置が接続されている無線制御装置を問い合わせる、
ことを特徴とする移動通信システム。
【請求項５】
基地局の機能を無線ベースバンド装置とアンテナ装置に分離し、複数の無線ベースバンド装置と複数のアンテナ装置の間の接続を任意に変更可能としたセルラー方式の移動通信システムにおいて、無線ベースバンド装置の各々に対応して設けられる無線制御装置における移動管理処理を行うためのコンピュータプログラムであって、
自無線ベースバンド装置とアンテナ装置との接続関係を管理するアンテナ装置管理制御ステップと、
自無線ベースバンド装置に接続されているアンテナ装置と移動端末との接続関係を監視する移動端末接続状況監視ステップと、
他の無線制御装置との間で連携して移動端末の無線セッションの引継ぎを行う無線セッション管理ステップと、をコンピュータに実行させるためのコンピュータプログラムであり、
自無線ベースバンド装置とアンテナ装置の接続関係を変更する場合に、前記無線セッション管理ステップで該接続関係を変更するアンテナ装置に接続している移動端末の無線セッションの引継ぎを行った後に、前記アンテナ装置管理制御ステップにより該接続関係の変更を行う、
コンピュータプログラム。
【発明の詳細な説明】
【技術分野】
【０００１】
本発明は、無線制御装置、移動通信システムおよびコンピュータプログラムに関する。
【背景技術】
【０００２】
近年、３ＧＰＰ（3rd Generation Partnership Project）では、第３．９世代の移動通信システムとしてＬＴＥ（Long Term Evolution）システムの標準化が進められている。非特許文献１には、ＬＴＥシステムにおける移動管理（Mobility）機能が記載されている。ＬＴＥシステムでは、移動管理装置（ＭＭＥ：Mobility Management Entity）が移動端末（ＵＥ：User Equipment）の位置を管理する。ＭＭＥは、各ＵＥが接続している無線基地局（ｅＮＢ：evolved Node B）の情報などを保持することで、ＵＥの現在位置を把握する。
【０００３】
ＵＥは在圏しているセルをセル識別子（セルＩＤ）によって把握する。ＵＥは、受信した電波の信号に含まれるセルＩＤによって、当該受信信号が現在接続しているｅＮＢからの信号か否かを判断する。ＵＥは、在圏しているセルの無線環境が移動などによって悪くなったときに、周囲によりよい無線環境を提供するｅＮＢがあるかを探索する。このとき、ＵＥは、各ｅＮＢから送信されるリファレンス信号の受信強度（ＲＳＲＰ：Reference Signal Received Power）を測定し、現在接続しているｅＮＢへ測定結果を送信する。ｅＮＢは、ＵＥからの測定結果を受信すると、当該ＵＥの移動先となるｅＮＢを決定し（Handover Decision）、移動先のｅＮＢとの間でハンドオーバの実行に係る処理（Handover Execution、Handover Completion）を行う。ハンドオーバの実行に係る処理としては、当該ＵＥの情報の交換（Handover Preparation）、当該ＵＥ宛のデータの転送、ＭＭＥ及びユーザデータの伝送ゲートウェイ（Ｓ−ＧＷ：Serving Gateway）に対する接続先ｅＮＢの変更通知、などがある。
【０００４】
この一連のハンドオーバに係る動作は、ＵＥが移動元のｅＮＢとの無線セッションをまだ確立しており、なおかつ隣接するセルからも通信を行うのに十分な強度の電波を受信できる状態にあるときに実施できる。この場合には、ＵＥと移動元のｅＮＢとの間で確立されていた無線セッションは、移動先のｅＮＢに引き継がれ、維持される。
【０００５】
一方、在圏セルの無線環境が悪くなり、なおかつ隣接するセルからも満足な強度の電波を受信できない場合には、ＵＥは、一定時間在圏セルの受信状況の回復を待ち、それでも受信状況が回復しないときに、確立していた無線セッションを破棄し、ＩＤＬＥ状態に遷移する（Radio Link Failure）。そして、ＵＥは、周囲の無線環境を監視し、十分な受信強度の電波を提供するｅＮＢを探索する（Cell selection）。ＵＥは、適切なｅＮＢを発見すると、当該ｅＮＢと無線セッションを確立する。そして、ＵＥは、ＭＭＥおよびＳ−ＧＷに対する接続先ｅＮＢの変更通知、などの処理を行う。
【０００６】
非特許文献２では、図７、図８に示される無線ネットワークアーキテクチャーが検討されている。この無線ネットワークアーキテクチャーでは、従来の基地局の機能を無線ベースバンド装置（ＲＣＵ１〜４）とアンテナ装置（ＲＲＨ１〜６）に分離し、複数の無線ベースバンド装置を一箇所に集約している。
【０００７】
図７では、３台のアンテナ装置ＲＲＨ１〜３が設置されているエリアＡに対して３台の無線ベースバンド装置ＲＣＵ１〜３を割り当てし、１台の無線ベースバンド装置が１台のアンテナ装置と接続しているが、３台のアンテナ装置ＲＲＨ４〜６が設置されているエリアＢに対しては１台の無線ベースバンド装置ＲＣＵ４を割り当てし、１台の無線ベースバンド装置が３台の三アンテナ装置と接続している。
【０００８】
一方、図８では、図７とは反対に、３台のアンテナ装置ＲＲＨ１〜３が設置されているエリアＡに対して１台の無線ベースバンド装置ＲＣＵ１を割り当てし、１台の無線ベースバンド装置が３台のアンテナ装置と接続し、３台のアンテナ装置ＲＲＨ４〜６が設置されているエリアＢに対して３台の無線ベースバンド装置ＲＣＵ２〜４を割り当てし、１台の無線ベースバンド装置が１台の三アンテナ装置と接続している。
【０００９】
図７と図８に示すように、無線ベースバンド装置とアンテナ装置との接続を任意に変更できるように構成しておくことによって、各エリアにおけるトラヒックの時間変動や日次変動などに応じて、トラヒックが多く発生するエリアに対してより多くの無線ベースバンド装置を割り当てることができるので、限られた無線ベースバンド装置のリソースを効率的に利用することが可能となる。
【先行技術文献】
【非特許文献】
【００１０】
【非特許文献１】3GPP Technical Specification 36.300, Evolved Universal Terrestrial Radio Access (E-UTRA) and Evolved Universal Terrestrial Radio Access Network (E-UTRAN); Overall description; Stage 2.
【非特許文献２】Nokia Siemens Networks, “Liquid Radio”, URL: http://www.nokiasiemensnetworks.com/news-events/press-room/press-releases/nokia-siemens-networks-launches-liquid-radio
【発明の概要】
【発明が解決しようとする課題】
【００１１】
しかし、非特許文献２に係る無線ネットワークアーキテクチャーに対して、非特許文献１に係る移動管理方法を適用すると、以下に示すような不都合が生じる。
【００１２】
例えば図７に示される接続関係から図８に示される接続関係へと、無線ベースバンド装置とアンテナ装置の接続を変更すると、アンテナ装置ＲＲＨ２又は３経由で無線通信を行っていた移動端末は、移動していないにもかかわらず、接続する無線ベースバンド装置がＲＣＵ２又は３からＲＣＵ１に変わってしまう。このため、当該移動端末は、受信するセルＩＤがこれまで受信していたセルＩＤ２又は３からセルＩＤ１に変わるので、これまでの無線セッションを破棄してＩＤＬＥ状態に遷移する。この結果、当該移動端末は、Cell selectionなどの無線接続の再確立を行わなければ、通信を再開できない。
【００１３】
本発明は、このような事情を考慮してなされたもので、基地局の機能を無線ベースバンド装置とアンテナ装置に分離し、複数の無線ベースバンド装置と複数のアンテナ装置の間の接続を任意に変更可能としたセルラー方式の移動通信システムにおいて、無線ベースバンド装置とアンテナ装置の間の接続を変更したときに、移動端末における無線接続の再確立を防ぐことができる、無線制御装置、移動通信システムおよびコンピュータプログラムを提供することを課題とする。
【課題を解決するための手段】
【００１４】
上記の課題を解決するために、本発明に係る無線制御装置は、基地局の機能を無線ベースバンド装置とアンテナ装置に分離し、複数の無線ベースバンド装置と複数のアンテナ装置の間の接続を任意に変更可能としたセルラー方式の移動通信システムにおいて、無線ベースバンド装置の各々に対応して設けられる無線制御装置であり、自無線ベースバンド装置とアンテナ装置との接続関係を管理するアンテナ装置管理制御部と、自無線ベースバンド装置に接続されているアンテナ装置と移動端末との接続関係を監視する移動端末接続状況監視部と、自無線ベースバンド装置に接続されているアンテナ装置と移動端末との接続関係が変わったときに、当該変更元または変更先の無線制御装置との間で無線セッションの引継ぎを行う無線セッション管理部と、を備えたことを特徴とする。
【００１５】
本発明に係る無線制御装置において、前記アンテナ装置管理制御部は、自無線ベースバンド装置に接続されているアンテナ装置にそれぞれ対応するリファレンスシグナルを、それぞれ対応するアンテナ装置を介して送信し、移動端末から受信した各リファレンスシグナルの受信品質に基づいて、当該移動端末とアンテナ装置との接続関係を判定する、ことを特徴とする。
【００１６】
本発明に係る無線制御装置において、前記アンテナ装置管理制御部は、移動端末に対応するリファレンスシグナルを、自無線ベースバンド装置に接続されているアンテナ装置を介して受信し、アンテナ装置ごとにリファレンスシグナルの受信品質を測定し、この測定結果に基づいて当該移動端末とアンテナ装置との接続関係を判定する、ことを特徴とする。
【００１７】
本発明に係る移動通信システムは、基地局の機能を無線ベースバンド装置とアンテナ装置に分離し、複数の無線ベースバンド装置と複数のアンテナ装置の間の接続を任意に変更可能としたセルラー方式の移動通信システムにおいて、前述のいずれかに記載の無線制御装置を無線ベースバンド装置の各々に対応して設け、前記無線制御装置と接続する無線管理装置を備え、前記無線管理装置は、前記無線制御装置と前記アンテナ装置の接続関係を管理する無線制御装置管理部と、移動端末が接続している前記無線制御装置を管理する移動端末移動管理部と、を有し、前記無線制御装置は、自無線ベースバンド装置に接続されているアンテナ装置と移動端末との接続関係が変わったときに、前記無線管理装置に対して当該アンテナ装置が接続されている無線制御装置を問い合わせる、ことを特徴とする。
【００１８】
本発明に係るコンピュータプログラムは、基地局の機能を無線ベースバンド装置とアンテナ装置に分離し、複数の無線ベースバンド装置と複数のアンテナ装置の間の接続を任意に変更可能としたセルラー方式の移動通信システムにおいて、無線ベースバンド装置の各々に対応して設けられる無線制御装置における移動管理処理を行うためのコンピュータプログラムであって、自無線ベースバンド装置とアンテナ装置との接続関係を管理するステップと、自無線ベースバンド装置に接続されているアンテナ装置と移動端末との接続関係を監視するステップと、自無線ベースバンド装置に接続されているアンテナ装置と移動端末との接続関係が変わったときに、当該変更元または変更先の無線制御装置との間で無線セッションの引継ぎを行うステップと、をコンピュータに実行させるためのコンピュータプログラムであることを特徴とする。
これにより、前述の無線制御装置がコンピュータを利用して実現できるようになる。
【発明の効果】
【００１９】
本発明によれば、複数の無線ベースバンド装置と複数のアンテナ装置の間の接続を任意に変更可能としたセルラー方式の移動通信システムにおいて、無線ベースバンド装置とアンテナ装置の間の接続を変更したときに、移動端末における無線接続の再確立を防ぐことができるという効果が得られる。
【図面の簡単な説明】
【００２０】
【図１】本発明の一実施形態に係るセルラー方式の移動通信システムの概略構成図である。
【図２】本発明の一実施形態の移動通信システムにおける接続構成例である。
【図３】本発明の一実施形態の移動通信システムにおける移動管理に係る動作を説明するためのシーケンスチャートである。
【図４】本発明の一実施形態の移動通信システムにおける移動管理に係る動作を説明するためのシーケンスチャートである。
【図５】本発明の一実施形態の移動通信システムにおける移動管理に係る動作を説明するためのシーケンスチャートである。
【図６】本発明の一実施形態の移動通信システムにおける移動管理に係る動作を説明するためのシーケンスチャートである。
【図７】従来の無線ネットワークアーキテクチャーの例である。
【図８】従来の無線ネットワークアーキテクチャーの例である。
【発明を実施するための形態】
【００２１】
以下、図面を参照し、本発明の実施形態について説明する。
図１は、本発明の一実施形態に係るセルラー方式の移動通信システムの概略構成図である。図１において、移動通信システムは、基地局の機能としての無線制御装置ＲＣＵとアンテナ装置ＲＲＨを備える。無線制御装置ＲＣＵは、基地局の機能としての無線ベースバンド装置（図示せず）の一部である。複数の無線制御装置ＲＣＵと複数のアンテナ装置ＲＲＨの間の接続は任意に変更可能である。それら複数の無線制御装置ＲＣＵは無線管理装置ＲＭＵに接続されている。移動端末ＵＥは、アンテナ装置ＲＲＨとの間で電波を送受する。
【００２２】
無線制御装置ＲＣＵは、移動端末情報管理部１と移動端末接続状況監視部２と無線セッション管理部３とアンテナ装置管理制御部４を有する。移動端末情報管理部１は、自無線制御装置ＲＣＵに接続されている移動端末ＵＥの情報（移動端末の識別子（ＩＤ）、無線セッションの情報など）を保持し管理する。移動端末接続状況監視部２は、移動端末ＵＥが接続しているアンテナ装置ＲＲＨを監視する。無線セッション管理部３は、他の無線制御装置ＲＣＵとの間で連携して移動端末ＵＥの無線セッションの引継ぎを行う。アンテナ装置管理制御部４は、自無線制御装置ＲＣＵに接続されているアンテナ装置ＲＲＨを管理する。
【００２３】
無線管理装置ＲＭＵは、移動端末移動管理部１１と無線制御装置管理部１２と無線制御装置制御部１３を有する。移動端末移動管理部１１は、移動端末ＵＥが接続している無線制御装置ＲＣＵを管理する。無線制御装置管理部１２は、無線制御装置ＲＣＵとアンテナ装置ＲＲＨの接続関係を管理する。無線制御装置制御部１３は、無線制御装置ＲＣＵとアンテナ装置ＲＲＨの接続関係の変更を決定し、無線制御装置ＲＣＵに接続関係の変更を指示する。
【００２４】
次に、本実施形態の移動通信システムにおける移動管理に係る動作を説明する。
【００２５】
図２は、本実施形態の移動通信システムにおける接続構成例である。無線制御装置ＲＣＵ間は、ＧＰＳ（Global Positioning System）又はＮＴＰ（Network Time Protocol）などにより同期されている。移動端末ＵＥは、各アンテナ装置ＲＲＨが送信するリファレンスシグナルを識別できる。
【００２６】
図２において、無線制御装置ＲＣＵ１は、アンテナ装置ＲＲＨ１及びＲＲＨ２と接続している。無線制御装置ＲＣＵ１のアンテナ装置管理制御部４は、自無線制御装置ＲＣＵ１が接続しているアンテナ装置ＲＲＨ１及びＲＲＨ２の識別情報を保持するテーブルＴ１−２を有する。
【００２７】
移動端末ＵＥ１は、アンテナ装置ＲＲＨ１を介して無線制御装置ＲＣＵ１と接続している。移動端末ＵＥ２は、アンテナ装置ＲＲＨ２を介して無線制御装置ＲＣＵ１と接続している。移動端末ＵＥ５は、アンテナ装置ＲＲＨ１及びＲＲＨ２の両方から電波を送受できる状態にあって無線制御装置ＲＣＵ１と接続している。無線制御装置ＲＣＵの移動端末接続状況監視部２は、自無線制御装置ＲＣＵ１が接続している移動端末ＵＥ１、ＵＥ２及びＵＥ５の識別情報を各移動端末が接続するアンテナ装置の識別情報に関連付けて保持するテーブルＴ１−１を有する。
【００２８】
同様に、無線制御装置ＲＣＵ２において、アンテナ装置管理制御部４は、自無線制御装置ＲＣＵ２が接続しているアンテナ装置ＲＲＨ３及びＲＲＨ４の識別情報を保持するテーブルＴ２−２を有する。移動端末接続状況監視部２は、自無線制御装置ＲＣＵ２が接続している移動端末ＵＥ３及びＵＥ４の識別情報を各移動端末が接続するアンテナ装置の識別情報に関連付けて保持するテーブルＴ２−１を有する。
【００２９】
無線管理装置ＲＭＵにおいて、無線制御装置管理部１２は、自無線管理装置ＲＭＵが接続している無線制御装置ＲＣＵ１及びＲＣＵ２に接続されているアンテナ装置ＲＲＨ１〜４の識別情報を各アンテナ装置が接続する無線制御装置の識別情報に関連付けて保持するテーブルＲ２を有する。移動端末移動管理部１１は、自無線管理装置ＲＭＵが接続している無線制御装置ＲＣＵ１及びＲＣＵ２に接続されている移動端末ＵＥ１〜５の識別情報を各移動端末が接続する無線制御装置の識別情報に関連付けて保持するテーブルＲ１を有する。
【００３０】
図３に、図２の接続構成から、アンテナ装置ＲＲＨ２が接続されている無線制御装置をＲＣＵ１からＲＣＵ２に切り替えるときの動作手順の例を示す。以下、図３を参照して説明する。
【００３１】
（ステップＳ１１）無線管理装置ＲＭＵは、無線制御装置ＲＣＵ１及びＲＣＵ２にアンテナ装置ＲＲＨ２の切替を指示する。
【００３２】
（ステップＳ１２）無線制御装置ＲＣＵ１及びＲＣＵ２は、アンテナ装置ＲＲＨ２に接続されている移動端末ＵＥ２の無線セッションの引継ぎ（ＲＣＵ１からＲＣＵ２へ引き継ぐ）を行う。
【００３３】
（ステップＳ１３）無線制御装置ＲＣＵ１はアンテナ装置ＲＲＨ２を切り離し、無線制御装置ＲＣＵ２はアンテナ装置ＲＲＨ２と接続する。
【００３４】
（ステップＳ１４）無線制御装置ＲＣＵ１及びＲＣＵ２は、それぞれテーブルＴ１−１、Ｔ１−２、Ｔ２−１、Ｔ２−２の情報を変更する。
【００３５】
（ステップＳ１５）無線制御装置ＲＣＵ１及びＲＣＵ２は、移動端末ＵＥ２の無線セッションの引き継ぎ、及びアンテナ装置ＲＲＨ２の接続変更が完了した後に、無線管理装置ＲＭＵへ処理完了を通知する。
【００３６】
（ステップＳ１６）無線管理装置ＲＭＵは、テーブルＲ１、Ｒ２の情報を変更する。
【００３７】
図４に、図２の接続構成から、移動端末ＵＥ１が移動し、移動端末ＵＥ１が電波を送受するアンテナ装置がＲＲＨ１からＲＲＨ２に切り替わるときの動作手順の例を示す。以下、図４を参照して説明する。
【００３８】
（ステップＳ２１）無線制御装置ＲＣＵ１は、定期的に、現在接続しているアンテナ装置ＲＲＨ１、ＲＲＨ２にそれぞれ対応するリファレンスシグナルＲＳ１、ＲＳ２を、それぞれ対応するアンテナ装置ＲＲＨ１、ＲＲＨ２を介して送信する。
【００３９】
（ステップＳ２２）移動端末ＵＥ１は、リファレンスシグナルＲＳ１、ＲＳ２を受信すると、無線制御装置ＲＣＵ１に対して各リファレンスシグナルＲＳ１、ＲＳ２の受信品質を有するフィードバック情報Ｆ１を送信する。なお、移動端末ＵＥ１はアンテナ装置ＲＲＨ１、ＲＲＨ２のリファレンスシグナルＲＳ１、ＲＳ２の受信品質を、アンテナ装置ＲＲＨ１経由でまとめて送信しているが、例えばアンテナ装置ＲＲＨ２経由でまとめて送信してもよいし、それぞれ対応するアンテナ装置経由で送信してもよい。
【００４０】
（ステップＳ２３）無線制御装置ＲＣＵ１は、フィードバック情報Ｆ１内の各リファレンスシグナルＲＳ１、ＲＳ２の受信品質に基づいて、移動端末ＵＥ１がアンテナ装置ＲＲＨ２の近くに移動したことを検知し、テーブルＴ１−１の情報を変更する。
【００４１】
なお、図４の手順では、無線制御装置が移動端末の接続状況を監視するための方法（端末接続状況監視方法）
として、無線制御装置は、自身が接続しているアンテナ装置すべてに対応するリファレンスシグナルを発信し、そのリファレンスシグナルの受信品質を移動端末からフィードバックさせることで、移動端末が現在接続しているアンテナ装置を判定している。
【００４２】
図５に、他の端末接続状況監視方法を例示する。以下、図５を参照して説明する。
【００４３】
（ステップＳ３１）移動端末ＵＥ１は、定期的に、リファレンスシグナルＵＥ−ＲＳ１を発信する。なお、全ての移動端末は、定期的に、自身のリファレンスシグナルを発信する。
【００４４】
（ステップＳ３２）無線制御装置ＲＣＵ１は、自身に接続されている各アンテナ装置ＲＲＨ１、ＲＲＨ２経由でリファレンスシグナルＵＥ−ＲＳ１を受信する。無線制御装置ＲＣＵ１は、アンテナ装置ＲＲＨ１、ＲＲＨ２ごとに、リファレンスシグナルＵＥ−ＲＳ１の受信品質を測定し、この測定結果に基づいて移動端末ＵＥ１が現在接続しているアンテナ装置を判定する。図５の例では、アンテナ装置ＲＲＨ２経由で受信されたリファレンスシグナルＵＥ−ＲＳ１の受信品質の方が良好であるため、移動端末ＵＥ１はアンテナ装置ＲＲＨ２に接続していると判定する。
【００４５】
（ステップＳ３３）
無線制御装置ＲＣＵ１は、ステップＳ３２の判定結果に基づいてテーブルＴ１−１の情報を変更する。図５の例では、移動端末ＵＥ１が接続しているアンテナ装置をＲＲＨ１からＲＲＨ２に変更している。
【００４６】
図５の手順では、端末接続状況監視方法として、移動端末からリファレンスシグナルを発信し、無線制御装置が各アンテナ装置経由で当該リファレンスシグナルを受信した受信品質から、移動端末が現在接続しているアンテナ装置を判定している。
【００４７】
図６に、図２の接続構成から、移動端末ＵＥ２が移動し、移動端末ＵＥ２が電波を送受するアンテナ装置がＲＲＨ２からＲＲＨ３に切り替わり、さらに移動端末ＵＥ２が接続する無線制御装置がＲＣＵ１からＲＣＵ２に切り替わるときの動作手順の例を示す。以下、図６を参照して説明する。
【００４８】
（ステップＳ４１）無線制御装置ＲＣＵ１は、定期的に、現在接続しているアンテナ装置ＲＲＨ２に対応するリファレンスシグナルＲＳ２を、対応するアンテナ装置ＲＲＨ２を介して送信する。無線制御装置ＲＣＵ２は、定期的に、現在接続しているアンテナ装置ＲＲＨ３に対応するリファレンスシグナルＲＳ３を、対応するアンテナ装置ＲＲＨ３を介して送信する。
【００４９】
（ステップＳ４２）移動端末ＵＥ２は、リファレンスシグナルＲＳ２、ＲＳ３を受信すると、無線制御装置ＲＣＵ１に対して各リファレンスシグナルＲＳ２、ＲＳ３の受信品質を有するフィードバック情報Ｆ２を送信する。
【００５０】
（ステップＳ４３）無線制御装置ＲＣＵ１は、フィードバック情報Ｆ２内の各リファレンスシグナルＲＳ２、ＲＳ３の受信品質に基づいて、移動端末ＵＥ２がアンテナ装置ＲＲＨ３の近くに移動したことを検知する。そして、無線制御装置ＲＣＵ１は、アンテナ装置ＲＲＨ３が自身に接続されていないため、無線管理装置ＲＭＵに対してアンテナ装置ＲＲＨ３が接続されている無線制御装置を問い合わせる。なお、ステップＳ４２において、フィードバック情報Ｆ２が無線制御装置ＲＣＵ２に送信された場合には、無線制御装置ＲＣＵ２が無線管理装置ＲＭＵに対して移動端末ＵＥ２が接続している無線制御装置を問い合わせる。
【００５１】
（ステップＳ４４）無線管理装置ＲＭＵは、無線制御装置ＲＣＵ１に対して、アンテナ装置ＲＲＨ３が接続されている無線制御装置ＲＣＵ２を返答する。なお、ステップＳ４３において、無線制御装置ＲＣＵ２が無線管理装置ＲＭＵに問い合わせた場合には、無線管理装置ＲＭＵは、無線制御装置ＲＣＵ２に対して、移動端末ＵＥ２が接続している無線制御装置ＲＣＵ１を返答する。
【００５２】
（ステップＳ４５）無線制御装置ＲＣＵ１及びＲＣＵ２は、アンテナ装置ＲＲＨ２に接続されている移動端末ＵＥ２の無線セッションの引継ぎ（ＲＣＵ１からＲＣＵ２へ引き継ぐ）を行う。
【００５３】
（ステップＳ４６）無線制御装置ＲＣＵ１及びＲＣＵ２は、それぞれテーブルＴ１−１、Ｔ２−１の情報を変更する。
【００５４】
（ステップＳ４７）無線制御装置ＲＣＵ１及びＲＣＵ２は、無線管理装置ＲＭＵへ処理完了を通知する。
【００５５】
（ステップＳ４８）無線管理装置ＲＭＵは、テーブルＲ１の情報を変更する。
【００５６】
以上、本発明の実施形態について図面を参照して詳述してきたが、具体的な構成はこの実施形態に限られるものではなく、本発明の要旨を逸脱しない範囲の設計変更等も含まれる。
【００５７】
また、図３から図６に示す各ステップを実現するためのプログラムをコンピュータ読み取り可能な記録媒体に記録して、この記録媒体に記録されたプログラムをコンピュータシステムに読み込ませ、実行することにより、移動管理処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００５８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５９】
１…移動端末情報管理部、２…移動端末接続状況監視部、３…無線セッション管理部、４…アンテナ装置管理制御部、ＲＣＵ…無線制御装置、ＲＲＨ…アンテナ装置
【図１】
0005879112.tif 000002
【図２】
0005879112.tif 000003
【図３】
0005879112.tif 000004
【図４】
0005879112.tif 000005
【図５】
0005879112.tif 000006
【図６】
0005879112.tif 000007
【図７】
0005879112.tif 000008
【図８】
0005879112.tif 000009